(57)【特許請求の範囲】
【請求項１】
ベースと、該ベースの上方に設けられた屋根と、該屋根と前記ベースとの間に立設され、前記屋根を支持するための柱と、前記屋根と前記ベースとの間に設けられた外壁とを備えた建造物であって、
前記ベースが、複数の基礎ピースから構成されており、
前記外壁は、断面視円形であって前記柱を囲むように配設されており、
前記外壁が、
前記柱の軸方向に沿って山折部と谷折部が交互に形成されたシートと、該シートを支持する支持部材とによって、前記柱の軸方向に沿って伸縮可能な蛇腹状に形成されており、
前記支持部材は、
前記シートの山折部に取り付けられる円環状に形成された外側支持部材と、前記シートの谷折部に取り付けられる円環状に形成された内側支持部材とからなり、
前記外側支持部材の内径が、前記内側支持部材の内径よりも大きい
ことを特徴とする組立式建造物。
【請求項２】
ベースと、該ベースの上方に設けられた屋根と、該屋根と前記ベースとの間に立設され、前記屋根を支持するための柱と、前記屋根と前記ベースとの間に設けられた外壁とを備えた建造物であって、
前記ベースが、複数の基礎ピースによって形成された上下一対のベース板からなり、
前記複数の基礎ピースが、短冊状に形成されており、
前記上下一対のベース板が、上方のベース板の基礎ピースの長手方向と、下方のベース板の基礎ピースの長手方向が交差するように配設されており、
前記上下一対のベース板のうち、下方のベース板の上面には柱固定用ボルトが立設されており、
上方のベース板には、前記柱固定用ボルトが挿通される貫通孔が形成されており、
前記柱と前記柱固定用ボルトを固定する柱固定部材を備えている
ことを特徴とする組立式建造物。
【請求項３】
前記基礎ピースが、コンクリート製である
ことを特徴とする請求項１または２記載の組立式建造物。
【請求項４】
前記シートの適所に、扉ユニット取付用貫通孔が形成されており、
該シートの扉ユニット取付用貫通孔に、扉ユニットが取り付けられており、
該扉ユニットが、
開閉可能な扉を有する扉部と、
前記扉部を支持する外枠と、
該外枠を、前記柱に固定する固定部材とからなり、
該シートにおける扉ユニット取付用貫通孔の内周縁部が、前記扉ユニットの外枠に液密に固定された
ことを特徴とする請求項１記載の組立式建造物。
【請求項５】
前記屋根と前記ベースとの間において、前記柱に固定された床板が設けられており、
該床板が、前記ベースと平行に配設された
ことを特徴とする請求項１または２記載の組立式建造物。
【請求項６】
前記床板が、前記柱の軸方向に沿って複数段設けられており、
最上段の床板が天井となっており、
該天井と前記屋根との間に、住宅設備が収容された
ことを特徴とする請求項５記載の組立式建造物。
【請求項７】
前記屋根に、その上下を貫通する貫通孔が形成されており、
該屋根の上面が、前記貫通孔に向かって下傾した傾斜面となっており、
前記屋根の貫通孔と連通された雨水タンクが設けられた
ことを特徴とする請求項１または２記載の組立式建造物。
【請求項８】
前記柱が、その軸方向を貫通する柱内通路を有しており、
該柱の柱内通路に、生活用水を流すための配管が設置された
ことを特徴とする請求項１または２記載の組立式建造物。
【請求項９】
前記柱に、その外面から凹み、その軸方向に沿って延びた収容溝が形成されており、
前記柱の外面に、該柱の収容溝の開口部に着脱自在に取り付けられ、該収容溝を遮閉する遮閉部材が設けられた
ことを特徴とする請求項１または２記載の組立式建造物。
【発明の詳細な説明】
【０００１】
【発明の属する技術分野】
本発明は、組立式建造物に関する。地震や洪水等の天災が発生したときには、仮設住居としてプレハブ建築物が使用されるが、このような状況下では、人の居住施設が早急に必要となるため、施工が容易かつ短時間で行える建築物が求められる。一方、開発途上国等では住居を有しない人々が数多く存在し、かかる人々でも所有することができる住居用建造物が求められている。また、先進国においても、ライフスタイルの変化に対応した新しい形態の住居用建造物が求められている。本発明は、上記のごとき要求を充足する組立式建造物に関する。
【０００２】
【従来の技術】
従来からプレハブ建築物は、施工が簡単かつ早く、また、柱や壁等の部材を工場で大量生産しているので、一棟当たりの値段が安いというメリットがあるため、簡易倉庫や仮設住宅として使用されるだけでなく、一般住居としても使用されている。
【０００３】
【発明が解決しようとする課題】
しかるに、このようなプレハブ建築物を一般住居として使用する場合、基礎工事を行わなければならないため、手間と時間がかかるし、その費用もかかる。とくに、地盤が弱い土地や砂地等では基礎工事が大変であり、場所によっては基礎を設置できないため建築物を建てることができないこともあるという問題がある。
また、一般住居の場合、プレハブ建築物は基礎に固定されているため、周囲の環境の変化により住みにくくなったり転勤などがあったとしても、プレハブ建築物を他の土地に移動させることができなかった。
さらに、仮設住宅等のようにその施工に急を要するものであっても、半年や１年程度使用するものであれば基礎工事が必要であるため、施工日数の短縮には限界がある。そして、設置された仮設住宅を撤去するときには基礎を取り除かなければならないが、基礎はコンクリートを打設して形成されているのでその除去が大変であるし、除去したコンクリートは産業廃棄物となってしまいその処分が大変であるという問題がある。
【０００４】
本発明はかかる事情に鑑み、施工が容易かつ短時間で行うことができ、基礎工事が不要であり、設置してからの移動も可能である組立式建造物を提供することを目的とする。
【０００５】
【課題を解決するための手段】
請求項１の組立式建造物は、ベースと、該ベースの上方に設けられた屋根と、該屋根と前記ベースとの間に立設され、前記屋根を支持するための柱と、前記屋根と前記ベースとの間に設けられた外壁とを備えた建造物であって、前記ベースが、複数の基礎ピースから構成されており、前記外壁は、断面視円形であって前記柱を囲むように配設されており、
前記外壁が、前記柱の軸方向に沿って山折部と谷折部が交互に形成されたシートと、該シートを支持する支持部材とによって、前記柱の軸方向に沿って伸縮可能な蛇腹状に形成されており、前記支持部材は、前記シートの山折部に取り付けられる円環状に形成された外側支持部材と、前記シートの谷折部に取り付けられる円環状に形成された内側支持部材とからなり、前記外側支持部材の内径が、前記内側支持部材の内径よりも大きいことを特徴とする。
請求項２の組立式建造物は、ベースと、該ベースの上方に設けられた屋根と、該屋根と前記ベースとの間に立設され、前記屋根を支持するための柱と、前記屋根と前記ベースとの間に設けられた外壁とを備えた建造物であって、前記ベースが、複数の基礎ピースによって形成された上下一対のベース板からなり、前記複数の基礎ピースが、短冊状に形成されており、前記上下一対のベース板が、上方のベース板の基礎ピースの長手方向と、下方のベース板の基礎ピースの長手方向が交差するように配設されており、前記上下一対のベース板のうち、下方のベース板の上面には柱固定用ボルトが立設されており、上方のベース板には、前記柱固定用ボルトが挿通される貫通孔が形成されており、前記柱と前記柱固定用ボルトを固定する柱固定部材を備えていることを特徴とする。
請求項３の組立式建造物は、請求項１または２記載の発明において、前記基礎ピースが、コンクリート製であることを特徴とする。
請求項４の組立式建造物は、請求項１記載の発明において、前記シートの適所に、扉ユニット取付用貫通孔が形成されており、該シートの扉ユニット取付用貫通孔に、扉ユニットが取り付けられており、該扉ユニットが、開閉可能な扉を有する扉部と、前記扉部を支持する外枠と、該外枠を、前記柱に固定する固定部材とからなり、該シートにおける扉ユニット取付用貫通孔の内周縁部が、前記扉ユニットの外枠に液密に固定されたことを特徴とする。
請求項５の組立式建造物は、請求項１または２記載の発明において、前記屋根と前記ベースとの間において、前記柱に固定された床板が設けられており、該床板が、前記ベースと平行に配設されたことを特徴とする。
請求項６の組立式建造物は、請求項５記載の発明において、前記床板が、前記柱の軸方向に沿って複数段設けられており、最上段の床板が天井となっており、該天井と前記屋根との間に、住宅設備が収容されたことを特徴とする。
請求項７の組立式建造物は、請求項１または２記載の発明において、前記屋根に、その上下を貫通する貫通孔が形成されており、該屋根の上面が、前記貫通孔に向かって下傾した傾斜面となっており、前記屋根の貫通孔と連通された雨水タンクが設けられたことを特徴とする。
請求項８の組立式建造物は、請求項１または２記載の発明において、前記柱が、その軸方向を貫通する柱内通路を有しており、該柱の柱内通路に、生活用水を流すための配管が設置されたことを特徴とする。
請求項９の組立式建造物は、請求項１または２記載の発明において、前記柱に、その外面から凹み、その軸方向に沿って延びた収容溝が形成されており、前記柱の外面に、該柱の収容溝の開口部に着脱自在に取り付けられ、該収容溝を遮閉する遮閉部材が設けられたことを特徴とする。
【０００６】
請求項１の発明によれば、ベース上に柱を立設し、その柱の上端に外壁の上端を取り付け、柱の上端に屋根を取り付ければ、建造物を組み立てることができる。しかも、複数の基礎ピースを組合わせるだけで、建造物の基礎となるベースを形成することができるので、基礎工事が不要であり、施工時間を短縮できる。また、基礎ピースも工場で大量生産できるので、一棟当たりの値段を安くすることができる。さらに、外壁が蛇腹状であるから、畳んだ状態の外壁を柱を囲むように配置し上方を伸ばせば外壁を設置することができる。したがって、外壁を短時間かつ簡単に施工することができるし、畳んだ状態で運搬できるので、搬送が容易である。さらに、外壁の大部分がシートであるから、外壁の重量を軽くすることができる。したがって、柱やベースに加わる重量を小さくすることができるので、建造物の強度や耐久性を高くすることができる。また、シートは内側支持部材と外側支持部材によって支持されているから、蛇腹状の形状を保つことができるし、山折部と谷折部にいずれも支持部材が設けられているから、山折り部と谷折り部の間に張られているシートが撓むことを防ぐことができる。したがって、風が吹いたりしてもシートのバタつきを低減させることができるので、シートのバタつきにより建造物内に発生する騒音を低減させることができる。さらに、外壁が断面視円形であるから、どの方向から風が吹いても風を受け流すことができるので、強風にあおられて建造物が倒れたりすることを防ぐことができる。また、外壁が円形であり、かつ素材がシートであるから、外壁に孔を形成すれば、どの方向からでも電気の配線や水道やガス等の配管等を建造物内に導入することができるので、インフラ設備の設置を容易にすることができる。さらに、外側支持部材の内径が、内側支持部材の内径より大きいため、常に外壁を蛇腹状に保つことができるので、内壁を設けた場合、内壁と外壁との間の距離、つまり壁厚を自由に調節することができる。しかも、内壁と外壁との間に確実に空間を設けることができるから、建造物の外部の温度変化等による建造物内の居住空間の温度変化を低減させることができ、居住性を高めることができる。そして、その空間に断熱材を設ければ、居住空間の温度変化をさらに低減させることができ、居住性をさらに高めることができる。
請求項２の発明によれば、ベース上に柱を立設し、その柱の上端に外壁の上端を取り付け、柱の上端に屋根を取り付ければ、建造物を組み立てることができる。しかも、複数の基礎ピースを組合わせるだけで、建造物の基礎となるベースを形成することができるので、基礎工事が不要であり、施工時間を短縮できる。また、基礎ピースも工場で大量生産できるので、一棟当たりの値段を安くすることができる。さらに、基礎ピースの重さを軽くすることができるので、ベースの運搬が容易になる。また、短冊状の基礎ピースを、その長手方向が交差するように配置しているから、基礎ピースの継ぎ目から、水等がベースの上面に染み出してくることを防ぐことができる。さらに、下方のベース板に立設された柱固定用ボルトが、上方のベース板の貫通孔に挿通されているから、上方のベース板が下方のベース板に対して移動することを防ぐことができる。また、柱固定部材によって、柱固定用ボルトと柱を固定できるので、柱と上下一対のベース板が確実に固定される。したがって、柱を安定してベース上に立てることができるので、建造物の安定性を高くすることができる。
請求項３の発明によれば、基礎ピースがコンクリート製であり、圧縮強度が大きいので、柱や屋根、壁だけでなく建造物の内側に設置する物品の総重量が大きくなっても、ベースが圧縮破壊することを防ぐことができ、安定して建造物を支えることができる。
請求項４の発明によれば、扉ユニットを、扉ユニット取付用貫通孔に取り付ければ、外壁に窓や玄関扉等を設けることができる。しかも、扉ユニット取付用貫通孔は、外壁のシートを裁断するだけで形成できるので、所望の位置に窓等を設置することができる。また、外枠を介して扉部を柱に取り付けているから、市販の窓サッシ等を扉部として使用することができる。
請求項５の発明によれば、床板より上方の空間を居住空間として、床板とベースとの間に空間を設ければ、ベースを通して地面の熱や冷気が室内に伝わることを防ぐことができる。しかも、床板とベースとの間の空間は外壁によって被われているので、風がその空間を通過することを防ぐことができる。よって、建造物の外部の温度変化等による建造物内の居住空間の温度変化を低減させることができ、居住性を高めることができる。しかも、その空間に断熱材を設ければ、居住空間の温度変化をさらに低減させることができ、居住性をさらに高めることができる。また、この空間に配管等を設置することができるので、建造物内の水回りや電気配線等のレイアウトを自由にすることができる。逆に、床板より下方の空間を居住空間とした場合、つまり床板を天井として使用した場合、その天井と屋根との間に空間を設ければ、日射による屋根の温度上昇の影響が建造物内に伝わることを防ぐことができるし、室内の熱が屋根を伝わって外部に逃げることを防ぐことができる。よって、建造物の外部の温度変化等による建造物内の居住空間の温度変化を低減させることができ、居住性を高めることができる。しかも、その空間に断熱材を設ければ、居住空間の温度変化をさらに低減させることができ、居住性をさらに高めることができる。また、その空間に空調設備等の住宅設備等を設置すれば、建造物の居住空間を広く使用できるし、また空調設備の場合には天井からダクト等を居住空間におろせば、建造物内のどの場所にも送風できるので、配管等の取り回しが容易になる。
請求項６の発明によれば、最上段の床板を天井とし、最下段の床板と最上段の床板との間を居住空間とすれば、屋根およびベースを通して外部の熱や冷気が居住空間に伝わることを防ぐことができるので、居住空間の温度変化をさらに低減させることができ、居住性をさらに高くすることができる。しかも、最下段の床板と最上段の床板の間の床板を２階や３階の床板とすれば、建造物を２階建て以上とすることができる。
請求項７の発明によれば、雨を雨水タンクに効率良く集めることができるので、水道等のインフラが設備されていないところでも、容易に生活用水を確保することができる。
請求項８の発明によれば、柱内に生活用水を通る配管等が設けられているので、配管が人目につかず、居住環境を向上させることができる。また、生活用水の配管だけでなく電気配線等も通せば、配線等を人目につかないように配置できる。
請求項９の発明によれば、遮閉部材を外せば、収容溝内に電線や電話線を通すことができるので、配線作業を簡単にすることができる。しかも、遮閉部材を取り付ければ、配線を隠すことができるので、建造物内をきれいにすることができる。
【０００７】
【発明の実施の形態】
つぎに、本発明の実施形態を図面に基づき説明する。
図１は本実施形態の組立式建造物１の概略縦断面図である。同図に示すように、本実施形態の組立式建造物１は、あらかじめ工場等で製造された外壁５やベース１０、屋根１４等の部材を、建造物が建てられる建造地で組立てる組立式建造物であって、そのベース１０を組立式としたことおよび外壁５を蛇腹状にしたことが特徴である。
【０００８】
まず、各部材について説明する前に、本実施形態の組立式建造物１の構造を簡単に説明する。
図１において、符号Ｇは本実施形態の組立式建造物１が設置される地面を示している。この地面Ｇは、何の処理もされていない地面でもよいが、砂利を敷いた後に転圧機等によって整地した地面であれば、その表面が平坦になり、しかも地盤沈下等を確実に防げるので好適である。
【０００９】
また、図１において、符号１０は地面Ｇに置かれたベースを示している。このベース１０の上方には屋根１４が設けられている。この屋根１４は、下端がベース１０に固定され、ベース１０の上面に立設された複数本の柱１６によって支持されている。そして、ベース１０と屋根１４の間には、複数の柱１６を囲むように蛇腹状の外壁５が配設されている。つまり、ベース１０、屋根１４および外壁５によって囲まれた空間が組立式建造物１の居住空間となっている。そして、外壁５の適所には、玄関や窓等の扉ユニット２０が設けられている。
【００１０】
なお、外壁５より内方において、柱１６間に内壁ＷＬを設置すれば、柱１６間と内壁ＷＬとの間に空間が形成されるので、外壁５を伝わって居住空間の熱が外部に逃げたり、外部の熱や冷気が伝達されることによる居住空間内の温度変化を防ぐことができる。しかも、外壁５と内壁ＷＬとの間の空間に断熱材ＩＮを設ければ、居住空間の温度変化をさらに低減させることができ、居住性をさらに高めることができる。
【００１１】
また、組立式建造物１の居住空間において、複数の柱１６間には柱１６の軸方向に沿って複数段の床板１７が取り付けられている。各床板１７は、前記ベース１０の上面と平行に設けられており、柱１６間に配設された梁１９によって支持されている。
【００１２】
この複数の床板１７のうち最下段の床板１７は、一階床板17A となっている。この一階床板17A は、ベース１０の上面との間に間隔をあけて配設されている。また、最上段の床板１７は、屋根裏床板17C となっており、屋根１４との間に間隔をあけて配設されている。さらに、一階床板17A と屋根裏床板17C の間の床板１７は、二階床板17B となっている。
【００１３】
このため、一階床板17A とベース１０との間に空間を設けることができるので、ベース１０を通して地面の熱や冷気が室内に伝わることを防ぐことができる。しかも、一階床板17A とベース１０との間の空間は外壁５によって被われているので、風がその空間を通過することを防ぐことができる。よって、建造物の外部の温度変化等による、建造物内の居住空間の温度変化を低減させることができ、居住性を高めることができる。
また、この空間に水道やガス等の配管や電気配線等を設置することができるので、建造物内の水回りや電気配線等のレイアウトを自由にすることができる。
【００１４】
さらに、一階床板17A 以外に二階床板17B 、屋根裏床板17C を設けているので、建造物を２階建て以上とすることができる。しかも、最上段の屋根裏床板17C を天井として、その天井と屋根１４との間に空間を設ければ、日射による屋根１４の温度上昇の影響が建造物内に伝わることを防ぐことができるし、室内の熱が屋根１４を伝わって外部に逃げることを防ぐことができる。
さらに、その空間に空調設備ＡＣや雨水タンク等の住宅設備を設置したり、収納スペースを設ければ、建造物の居住空間を広く使用できるし、また空調設備ＡＣの場合には、屋根裏床板17C からダクト等を居住空間におろすだけで、建造物内のどの場所にも容易に送風することができるので、配管等の取り回しが容易になる。
【００１５】
なお、一階床板17A とベース１０との間に空間に断熱材を設ければ、ベース１０を通して地面の熱や冷気が室内に伝わることを確実に防ぐことができ、建造物の外部の温度変化等による、建造物内の居住空間の温度変化を確実に低減させることができ、さらに居住性を高めることができる。
さらになお、屋根１４と屋根裏床板17C との間の空間に断熱材を設ければ、日射による屋根１４の温度上昇の影響が建造物内に伝わることを防ぐことができるし、室内の熱が屋根１４を伝わって外部に逃げることを防ぐことができる。
さらになお、床板１７を設ける数は３枚に限られず、１枚や２枚でもよいし、４枚以上でもよい。
【００１６】
さて、組立式建造物１を構成する各部材について詳細に説明する。
まず、ベース１０を説明する。
図２はベース１０の概略説明図である。図１および図２に示すように、ベース１０は、上下一対のベース板１１，１２から構成されている。
下ベース板１１は、コンクリート製の平板状の部材であり、短冊状の４枚の基礎ピース11a 〜11d （以下、基礎ピース11a 等という）によって形成されている。この基礎ピース11a 等には、複数の柱固定用ボルト１３が設けられている。この柱固定用ボルト１３は、その軸方向が基礎ピース11a 等の上面に対して垂直となるように立設されており、その下端部は基礎ピース11a 等に埋設されている。
【００１７】
下ベース板１１の上面には、上ベース板１２が載せられている。この上ベース板１２も、下ベース板１１と同様にコンクリート製の平板状の部材であり、短冊状の４枚の基礎ピース12a 〜12d （以下、基礎ピース12a 等という）によって形成されている。この上ベース板１２の基礎ピース12a 等は、その長手方向が、前記下ベース板１１の基礎ピース11a 等の長手方向と直交するように配設されている。そして、基礎ピース12a 等において、基礎ピース11a 等の上面に立設された柱固定用ボルト１３と対応する位置には、複数の貫通孔12h が形成されており、各柱固定用ボルト１３が対応する貫通孔12h に挿入されている。
【００１８】
上記のごとき構成であるから、ベース１０によれば、基礎ピース11a 等および基礎ピース12a 等がコンクリート製であり、圧縮強度が大きいので、柱１６や屋根１４、外壁５だけでなく建造物の内側に設置する物品の総重量が大きくなっても、ベース１０が圧縮破壊することを防ぐことができ、安定して建造物を支えることができる。
また、ベース１０は、上下一対の下ベース板１１，１２から構成されており、下ベース板１１および上ベース板１２は、複数の基礎ピース11a 等および基礎ピース12a 等から構成されている。このため、ベース１０を複数の基礎ピース11a 等および基礎ピース12a 等に分割して運搬することができるので、ベース１０の運搬が容易になる。
さらに、短冊状の基礎ピース11a 等および基礎ピース12a 等を、その長手方向が交差するように配置しているから、基礎ピース11a 等および基礎ピース12a 等の継ぎ目から、水等がベース１０の上面に染み出してくることを防ぐことができる。
さらに、下ベース板１１の基礎ピース11a 等に立設された柱固定用ボルト１３が、上ベース板１２の基礎ピース12a 等の貫通孔12h に挿通されているから、上ベース板１２が下ベース板１１に対して移動することを防ぐことができるし、基礎ピース11a 等や基礎ピース12a 等が動いて、基礎ピース11a 等同士や基礎ピース12a 等同士の間に隙間ができることを防ぐことができる。
【００１９】
なお、各ベース板１１ ,１２の基礎ピースの形状および数は上記の形状および数に限定されない。
さらになお、基礎ピースの素材はコンクリートに限られず、石や鉄等でもよく、柱等から加わる重さに耐えることができるものであれば特に限定はない。
【００２０】
さらになお、ベース１０を構成するベース板の枚数は２枚に限られず、１枚でもよいし、３枚以上でもよく、柱１６等、ベース１０上に載せられるものの重さに合わせてベース板の厚さや枚数によってベース１０の厚さを調整すればよい。
さらになお、下ベース板１１の下面は必ずしも平坦面でなくてもよく、その下面に複数の突起を設けてもよい。この場合、突起が地面Ｇに食い込み、ベース１０の安定性を高くすることができる。
【００２１】
つぎに、柱１６を説明する。
図３は柱１６とベース１０の結合部分の拡大説明図である。図１および図３に示すように、柱１６は、例えば溝形鋼等の構造用形鋼であって、その軸方向の適所にブラケット16d が設けられたものである。このブラケット16d は、前記床板１７を支持するための梁１９を取り付けるためのものである。
この柱１６の下端には、その上面が柱１６の軸方向と垂直になるように、板状の柱固定部材16b が取り付けられている。この柱固定部材16b には、ボルト孔が形成されている。
【００２２】
このため、柱固定部材16b のボルト孔に前記ベース１０に設けられている柱固定用ボルト１３を挿通し、柱固定用ボルト１３にナットを螺合すれば、柱１６をベース１０に確実に固定することができる。よって、柱固定部材16b によって柱１６を安定してベース１０上に立てることができるので、建造物の安定性を高くすることができる。
【００２３】
なお、柱１６は一般的な構造形鋼でなく、図６に示すような断面構造を有するユニット柱16A を使用してもよい。このユニット柱16A は、その軸方向を貫通する柱内通路16h が形成されている。また、ユニット柱16A の外面には、その外面から凹んで、ユニット柱16A の軸方向に沿って延びた収容溝16s が形成されている。この収容溝16s の開口部には、この収容溝16s を遮閉するための遮閉部材16g が、着脱自在に取り付けられている。さらに、ユニット柱16A の外面には、内壁ＷＬや前記梁１９を取り付けるためのブラケット16f が設けられている。
このため、ユニット柱16A の柱内通路16h に生活用水を流す配管ＷＰ等を設ければ、配管ＷＰが人目につかず、居住環境を向上させることができる。また、生活用水の配管だけでなく電気配線ＥＬ等も通せば、電気配線ＥＬ等も人目につかないように配置できる。
また、電気配線ＥＬ等をユニット柱16A の柱内通路16h でなく収容溝16s 内に配線してもよい。この場合、生活用水を流す配管ＷＰと電気配線ＥＬ等を完全に隔離することができるので、漏電などを防ぐことができる。そして、収容溝16s はユニット柱16A の外面に形成されているから、配線作業を簡単にすることができるし、遮閉部材16g を取り付ければ配線を隠すことができるので、建造物内をきれいにすることができる。
【００２４】
つぎに、屋根１４を説明する。
図１に示すように、前記柱１６の上端には、屋根１４が取り付けられている。この屋根１４には、その中心に、上面を下面に貫通する貫通孔14h が形成されている。この屋根１４の貫通孔14h には、雨水パイプ14p の一端が取り付けられており、この雨水パイプ14p の他端が組立式建造物１の外部に設置された雨水タンク１５に接続されている。
また、屋根１４の上面はその外周縁から貫通孔14h に向かって下傾した傾斜面となっている。つまり、屋根１４の上面は貫通孔14h の中心軸上に頂点を有し、その頂点に向かって下傾する円錐上斜面となっているのである。
このため、屋根１４に降った雨を全て貫通孔14h に流し込むことができ、貫通孔14h に流入した雨水は雨水パイプ14p を通って雨水タンク１５内に流入するので雨水を雨水タンク１５に効率良く集めることができる。したがって、水道等のインフラが設備されていないところでも、容易に生活用水を確保することができる。
【００２５】
なお、雨水タンクは、屋根１４と屋根裏床板17c との間に設けてもよい。この場合、雨水タンクの水を室内各部へ供給するためのポンプ等が不要となる。
さらになお、雨水パイプ14p の中間において、屋根１４と屋根裏床板17c との間に第一雨水タンクを設けてもよい。
【００２６】
なお、屋根１４の上面は円錐上斜面に限られず、貫通孔14h に向かって下傾した傾斜面となっていればよい。
さらになお、貫通孔14h を形成する位置は、屋根１４の中心でなくてもよい。
【００２７】
つぎに、外壁５を説明する。
図４は外壁５の固定状態を説明する説明図である。図１および図４に示すように、外壁５は、前記ベース１０と前記屋根１４の間において、前記柱１６を囲むように配設されている。この外壁５は、断面視で円形をしており、柱１６の軸方向、つまり上下方向に沿って伸縮自在な蛇腹状に形成されている。
【００２８】
外壁５は、シート６、外側支持部材７ａおよび内側支持部材７ｂから構成されている。シート６は、その素材が防水性を有するテフロンシートや四フッ化エチレン樹脂コーティングガラス繊維膜等である。
なお、シート６の素材は上記のものに限定されず、樹脂コーティングアルミ繊維織布や透湿防水布等でもよい。
さらになお、シート６は、外側シートと内側シートとの間に、例えば断熱材やシリコンパッド等を挟んで形成したもの、つまり複数の層を有するものを使用しても良い。例えば断熱材を挟んだものの場合、シートに断熱効果を付与することができ組立式建造物１の居住性をさらに高めることができるし、シリコンパッドを挟んだものの場合、シートの強度を高くすることができ、外圧が加わったときのシート変形を防ぐことができる。
【００２９】
前記シート６は、上下方向に沿って山折部と谷折部が交互に形成されており、その山折部には円環状の外側支持部材７ａが取り付けられており、谷折部には円環状かつ、その内径が外側支持部材７ａの内径より小さい内側支持部材７ｂが取り付けられている。
【００３０】
そして、図４（Ａ）に示すように、シート６の上端には、それぞれシート固定部材６ｃが取り付けられている。このシート固定部材６ｃは、柱１６の上端と屋根１４との間に固定されており、このシート固定部材６ｃを取り付けると、シート６の上端は屋根１４によって覆われる位置に配置される。したがって、雨が降っても、雨がシート６の上端と屋根１４との隙間から吹き込むことを防ぐことができる。
一方、図４（Ｃ）に示すように、シート６の下端には、それぞれシート固定部材６ａが取り付けられており、このシート固定部材６ａは、ベース１０に設けられたシート固定用ボルト６ｄによってベース１０に固定されており、このシート固定部材６ａを取り付けると、シート６の下端はベース１０の側面を囲むように配置される。したがって、雨が降っても、雨がシート６の下端とベース１０の隙間から吹き込むことを防ぐことができる。
そして、図４（Ｂ）に示すように、屋根１４とベース１０の中間に位置するシート６は、内側支持部材７ｂをシート固定部材６ｂによって柱１６に固定しているので、シート６等の自重によって蛇腹が伸びたり、また、風圧等の外圧が加わったり、人が押したり、物が当たったりしても外壁５が変形することを防いでいる。
【００３１】
上記のごとき構成であるから、外壁５は、畳んだ状態で柱１６を囲むように配置してから、シート６を伸ばして、シート固定部材６ｃによってそのシート６の上端を柱１６の上端に取り付けるだけで設置することができる。したがって、外壁５を短時間かつ簡単に施工することができるし、畳んだ状態で運搬できるので、搬送が容易である。
また、外壁５の大部分がシート６であるから、外壁５の重量を軽くすることができる。したがって、柱１６やベース１０に加わる重量を小さくすることができるので、建造物の強度や耐久性を高くすることができる。
【００３２】
さらに、シート６は、その山折部と谷折部に内側支持部材７ｂと外側支持部材７ａがそれぞれ設けられているから、しかも外側支持部材７ａの内径が、内側支持部材７ｂの内径より大きい。したがって、外壁５は蛇腹状の形状を保つことができるので、山折り部と谷折り部の間に張られているシート６が撓むことを防ぐことができる。よって、風が吹いたりしてもシート６のバタつきを低減させることができ、シート６のバタつきにより建造物内に発生する騒音を低減させることができる。
しかも、シート６は蛇腹状に保たれるので、内壁ＷＬを設けた場合、内壁ＷＬと外壁５との間の距離、つまり壁厚を自由に調節することができるし、内壁ＷＬと外壁５との間に確実に空間を設けることができるから、建造物の外部の温度変化等による建造物内の居住空間の温度変化を低減させることができ、居住性を高めることができる。そして、その空間に断熱材ＩＮを設ければ、居住空間内の温度変化を防止する効果を高めることができる（図１参照）。
【００３３】
さらに、外壁５が断面視円形であるから、どの方向から風が吹いても風を受け流すことができるので、強風にあおられて組立式建造物１が倒れたりすることを防ぐことができる。
さらに、外壁５が円形であり、かつ素材がシート６であるから、外壁５に孔を形成しさえすれば、どの方向からでも電気の配線や水道やガスなどの配管等を建造物内に導入することができるので、インフラ設備の設置を容易にすることができる。
【００３４】
つぎに、扉ユニット２０を説明する。
図５は扉ユニット２０の概略横断面図である。図５において、符号19d は、隣接する柱６間に水平に設けられた横つなぎを示している。この横つなぎ19d には、固定部材２２によって、一対の外枠２１ ,２１の基端が固定されてる。この一対の外枠２１ ,２１は、水平かつ互いに平行となるように配設されている。
この一対の外枠２１ ,２１の先端間には、扉部２５が取り付けられている。この扉部２５は、例えば市販のサッシなどであり、サッシ枠２６と、サッシ枠２６開閉自在な扉２７を有するものである。
一方、前記外壁５において、扉ユニット２０が取り付けられた位置におけるシート６には、扉ユニット取付用貫通孔６ｈが形成されている。そして、この扉ユニット取付用貫通孔６ｈの内周縁部は、外枠２１に沿って内方（図５では左方）に折り込まれ、シリコンコーキング等によって扉部２５のサッシ枠２６に液密に固定されている。
【００３５】
上記のごとき構成であるから、扉ユニット２０によれば、一対の外枠２１ ,２１を介して扉部２５を横つなぎ19d に取り付け、シート６に扉ユニット取付用貫通孔６ｈ形成し、扉ユニット取付用貫通孔６ｈの内周縁部を扉部２５のサッシ枠２６に取り付ければ、外壁５に窓や玄関扉等を設けることができる。
しかも、扉ユニット取付用貫通孔６ｈは、外壁５のシート６を裁断するだけで形成でき、横つなぎ19d を設けさえすれば、所望の位置に扉ユニット２０を取り付けることができるので、所望の位置に窓等を設置することができる。
また、外枠２１を介して扉部２５を取り付けているから、市販の窓サッシ等を扉部２５として使用することができる。
【００３６】
なお、扉ユニット２０は、梁１９に取り付けてもよく、この場合、横つなぎ19d を設けなくてもよいので、施工が容易になる。
さらになお、外枠２１の先端に４本の柱状部材で形成された枡形の扉部取付枠を設け、この扉部取付枠の内側に扉部２５を取り付けるようにしてもよい。この場合、扉部２５を扉部取付枠が保持するので、扉ユニット２５の強度を高くすることができる。しかも、シート６の扉ユニット取付用貫通孔６ｈの内周縁部を、扉部２５のサッシ枠２６と扉部取付枠との間に挿入した状態でシリコンコーキング等すれば、シート６と扉ユニット２０との間の液密性を高くすることができる。
【００３７】
つぎに、本実施形態の組立式建造物１の作用と効果を説明する。
本実施形態の組立式建造物１を組み立てるときには、まず、基礎ピース11a等 を組み合わせて下ベース板１１を形成する。そして、下ベース板１１の上面に、基礎ピース12a等 を、その長手方向が基礎ピース11a等 の長手方向と直交するように配置すると、地面Ｇにベース１０を形成することができる。
ついで、形成されたベース１０の周囲に、このベース１０を囲むように折り畳んだ状態の外壁５を配置する。そして、外壁５の下端をベース１０に固定する。
ついで、ベース１０上に複数の柱１６を立設し、複数の柱１６間にベース１０と平行に複数段の床板１７を取り付ける。
最後に、外壁５を伸ばし、外壁５の上端をその柱１６の上端に取り付け、外壁５のシート６の上端を覆うように、屋根１４を柱１６の上端に取り付ければ、本実施形態の組立式建造物１の組み立てが完成する。
【００３８】
よって、本実施形態の組立式建造物１によれば、外壁５や屋根１４、柱１６だけでなくベース１０も現場で組み立てて設置することができる。しかも、ベース１０は複数の基礎ピース11a等 ,12a等を組合わせるだけで形成することができるので、従来のような基礎工事が不要であり、基礎の設置に要する時間を短くすることができ、組立式建造物１の施工時間を短縮できる。
また、基礎ピース11a等 ,12a等も工場で大量生産できるので、一棟当たりの値段を安くすることができるし、基礎ピース一個あたりの重さが軽量化されているので、ベース１０を容易に運搬することができる。
【００３９】
そして、組み立てられた組立式建造物１は、ベース１０は地面Ｇに固定されていないため、組立式建造物１をベース１０とともに引っ張れば、組立式建造物１を移動させることができる。
また、組立式建造物１を解体して移動させる場合であっても、外壁５、柱１６等と同様にベース１０も分解して移動させることができるし、組立式建造物１を解体したときに廃コンクリート等の産業廃棄物が発生しない。
【００４０】
また、ベース１０を地面Ｇに固定しなければ、地震等が発生したときに、地震の揺れをベース１０とともに組立式建造物１が地面Ｇ上を滑るように移動して吸収するので、組立式建造物１の柱１６等が直接地震のエネルギーを吸収する必要がない。したがって、柱１６等の強度を必要以上に高くしなくても、耐震性を高くすることができる。
【００４１】
【発明の効果】
請求項１の発明によれば、複数の基礎ピースを組合わせるだけで、建造物の基礎となるベースを形成することができるので、基礎工事が不要であり、施工時間を短縮できる。また、基礎ピースも工場で大量生産できるので、一棟当たりの値段を安くすることができる。外壁を短時間かつ簡単に施工することができるし、畳んだ状態で運搬できるので、搬送が容易である。外壁の大部分がシートであるから、外壁の重量を軽くすることができ、建造物の強度や耐久性を高くすることができる。また、シートのバタつきにより建造物内に発生する騒音を低減させることができる。強風にあおられて建造物が倒れたりすることを防ぐことができ、インフラ設備の設置が容易にすることができる。
請求項２の発明によれば、複数の基礎ピースを組合わせるだけで、建造物の基礎となるベースを形成することができるので、基礎工事が不要であり、施工時間を短縮できる。また、基礎ピースも工場で大量生産できるので、一棟当たりの値段を安くすることができる。基礎ピースの重さを軽くすることができるので、ベースの運搬が容易になる。また、短冊状の基礎ピースを、その長手方向が交差するように配置しているから、基礎ピースの継ぎ目から、水等がベースの上面に染み出してくることを防ぐことができる。上方のベース板が下方のベース板に対して移動することを防ぐことができ、柱と上下一対のベース板が確実に固定されるので、建造物の安定性を高くすることができる。
請求項３の発明によれば、基礎ピースがコンクリート製であり、圧縮強度が大きいので、柱や屋根、壁だけでなく建造物の内側に設置する物品の総重量が大きくなっても、ベースが圧縮破壊することを防ぐことができ、安定して建造物を支えることができる。
請求項４の発明によれば、外壁に窓や玄関扉等を設けることができ、所望の位置に窓等を設置することができ、市販の窓サッシ等を扉部として使用することができる。
請求項５の発明によれば、建造物の外部の温度変化等による、建造物内の居住空間の温度変化を低減させることができ、居住性を高めることができ、建造物内の水回りや電気配線等のレイアウトを自由にすることができる。また、建造物の居住空間を広く使用でき、配管等の取り回しが容易になる。
請求項６の発明によれば、建造物の外部の温度変化等による、建造物内の居住空間の温度変化をさらに低減させることができ、さらに居住性を高めることができ、建造物を２階建て以上とすることができる。
請求項７の発明によれば、雨を雨水タンクに効率良く集めることができるので、水道等のインフラが設備されていないところでも、容易に生活用水を確保することができる。
請求項８の発明によれば、居住環境を向上させることができる。また、生活用水の配管だけでなく電気配線等も通せば、配線等を人目につかないように配置できる。
請求項９の発明によれば、遮閉部材を外せば、収容溝内に電線や電話線を通すことができるので、配線作業を簡単にすることができる。しかも、遮閉部材を取り付ければ、配線を隠すことができるので、建造物内をきれいにすることができる。
【図面の簡単な説明】
【図１】本実施形態の組立式建造物１の概略縦断面図である。
【図２】ベース１０の概略説明図である。
【図３】柱１６とベース１０の結合部分の拡大説明図である。
【図４】外壁５の固定状態を説明する説明図である。
【図５】扉ユニット２０の概略横断面図である。
【図６】ユニット柱16A の概略断面図である。
【符号の説明】
１      組立式建造物
５      外壁
６      シート
６ｈ    扉ユニット取付用貫通孔
７ａ    外側支持部材
７ｂ    内側支持部材
１０    ベース
１１    下ベース板
１２    上べース板
１３    柱固定用ボルト
１４    屋根
１５            雨水タンク
１６            柱
１７            床板
２０            扉ユニット
２１            外枠
２２            固定部材
２５            扉部
【図１】
0003893282.tif 000002
【図２】
0003893282.tif 000003
【図３】
0003893282.tif 000004
【図４】
0003893282.tif 000005
【図５】
0003893282.tif 000006
【図６】
0003893282.tif 000007